(57)【要約】【課題】原稿の一部が破損或いは紛失した場合も全原稿の情報を復元して印刷する。【解決手段】電子情報を記録可能な記録媒体１６０２、１６０５に原稿１６０１、１６０４に関する情報を記録しておき、その記録媒体１６０２、１６０５から原稿１６０１、１６０４に関する情報を取得し、その情報に基づいて原稿用紙１４０３、１４０５に画像形成を行う。【選択図】　　　図１６
2004094731.tif 000002
【特許請求の範囲】
【請求項１】
電子情報を記録可能な記録媒体が付加された原稿の画像形成を行う画像形成装置であって、
前記記録媒体から前記原稿に関する情報を取得する取得手段と、
前記取得手段で取得した原稿に関する情報に基づいて画像形成を行う画像形成手段とを有することを特徴とする画像形成装置。
【請求項２】
前記原稿に関する情報は、原稿面に印刷されている情報及び印刷に必要な情報であることを特徴とする請求項１に記載の画像形成装置。
【請求項３】
前記原稿面に印刷されている情報及び印刷に必要な情報は、前記原稿の全ページを構成するための全ての情報であることを特徴とする請求項２に記載の画像形成装置。
【請求項４】
前記取得手段は、無線通信によって前記原稿に関する情報を取得することを特徴とする請求項１に記載の画像形成装置。
【請求項５】
電子情報を記録可能な記録媒体が付加された原稿の画像形成を行う画像形成方法であって、
前記記録媒体から前記原稿に関する情報を取得する取得工程と、
前記取得工程で取得した原稿に関する情報に基づいて画像形成を行う画像形成工程とを有することを特徴とする画像形成方法。
【請求項６】
前記原稿に関する情報は、原稿面に印刷されている情報及び印刷に必要な情報であることを特徴とする請求項５に記載の画像形成方法。
【請求項７】
前記原稿面に印刷されている情報及び印刷に必要な情報は、前記原稿の全ページを構成するための全ての情報であることを特徴とする請求項６に記載の画像形成方法。
【請求項８】
前記取得工程では、無線通信によって前記原稿に関する情報を取得することを特徴とする請求項５に記載の画像形成方法。
【請求項９】
コンピュータを請求項１乃至請求項４の何れか一項に記載の画像形成装置として機能させるためのプログラム。
【請求項１０】
請求項９に記載のプログラムが記録されたコンピュータ読み取り可能な記録媒体。
【発明の詳細な説明】
【０００１】
【発明の属する技術分野】
本発明は、電子情報を記録可能な記録媒体が付加された原稿の画像形成を行う画像形成装置及び画像形成方法に関するものである。
【０００２】
【従来の技術】
原稿の複製を行うためには、一度原稿を複写機付属のスキャナ部で読み取り、読み取った原稿の画像情報に基づき、複写機付属のプリンタ部で印刷するなどの手順が必要である。
【０００３】
【発明が解決しようとする課題】
しかしながら、上記従来例では、複写しようとする原稿がオリジナルとなるため、その原稿の一部が破損或いは紛失していると、完全な原稿の再現は不可能であった。
【０００４】
本発明は、上記課題を解決するためになされたもので、原稿の一部が破損或いは紛失した場合も全原稿の情報を復元して画像形成することを目的とする。
【０００５】
【課題を解決するための手段】
上記目的を達成するために、本発明は、電子情報を記録可能な記録媒体が付加された原稿の画像形成を行う画像形成装置であって、前記記録媒体から前記原稿に関する情報を取得する取得手段と、前記取得手段で取得した原稿に関する情報に基づいて画像形成を行う画像形成手段とを有することを特徴とする。
【０００６】
また、上記目的を達成するために、本発明は、電子情報を記録可能な記録媒体が付加された原稿の画像形成を行う画像形成方法であって、前記記録媒体から前記原稿に関する情報を取得する取得工程と、前記取得工程で取得した原稿に関する情報に基づいて画像形成を行う画像形成工程とを有することを特徴とする。
【０００７】
【発明の実施の形態】
以下、図面を参照しながら本発明に係る実施の形態を詳細に説明する。
【０００８】
近年、コピー用紙に付加できるほど小型な記録媒体が開発され、その記録媒体に記録できる情報容量も年々増加している。そこで、本実施形態では複数ページに渡る原稿を構成するための全情報が記録された記録媒体を原稿自身に付加するものである。具体的には、複数ページからなる原稿の各ページに原稿全ページの情報を記憶した記録媒体を付加しておき、原稿の一部が破損、紛失した場合でも全原稿の情報を復元し印刷することを可能とするものである。
【０００９】
以下の説明では、カラー複写機を例にとり説明するが、本発明は、これだけに限らず、画像形成装置全般（複写機、プリンタ、ＦＡＸ、これらの複合機など）に適用することも可能である。
【００１０】
図１は、本実施形態における画像入出力システムの全体構成を示す図である。図１に示すように、リーダー部（画像入力装置）２００は、原稿画像を光学的に読み取り、画像データに変換して出力する。このリーダー部２００は、原稿を読み取るための機能を持つスキャナユニット２１０と、原稿用紙を搬送するための機能を持つ原稿給紙ユニット（ＤＦユニット）２５０とで構成される。
【００１１】
一方、プリンタ部（画像出力装置）３００は、記録紙を搬送し、記録紙上に画像データを可視画像として印字して装置外に排紙する。このプリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１２】
また、制御装置１１０は、リーダー部２００及びプリンタ部３００と電気的に接続され、更にネットワーク４００を介してホストコンピュータ（ＰＣ）４０１，４０２と接続されている。この制御装置１１０は、リーダー部２００を制御して原稿の画像データを読み込み、プリンタ部３００を制御して画像データを記録用紙に出力するコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１３】
また、操作部１５０は、制御装置１１０に接続され、液晶タッチパネルで構成され、画像入出力システムを操作するためのユーザＩ／Ｆを提供する。
【００１４】
図２は、リーダー部２００及びプリンタ部３００の側断面図である。リーダー部２００の原稿給送ユニット２５０は、原稿を先頭順に１枚ずつプラテンガラス２１１上へ給送し、原稿の読み取り動作が終了した後、プラテンガラス２１１上の原稿を排出するものである。原稿がプラテンガラス２１１上に搬送されると、ランプ２１２を点灯し、そして光学ユニット２１３の移動を開始させて原稿を露光走査する。この時の原稿からの反射光は、ミラー２１４、２１５、２１６及びレンズ２１７によってＣＣＤイメージセンサ（以下、ＣＣＤという）２１８へと導かれる。このように、走査された原稿の画像はＣＣＤ２１８によって読み取られる。
【００１５】
リーダー部２００において、２２２はリーダー画像処理回路部であり、ＣＣＤ２１８から出力される画像データに所定の処理を施し、スキャナＩ／Ｆを介して制御装置１１０へ出力するところである。
【００１６】
プリンタ部３００において、３５２はプリンタ画像処理回路部であり、プリンタＩ／Ｆを介して制御装置１１０から送られる画像信号をレーザドライバ３１７へ出力するところである。このレーザドライバ３１７は、レーザ発光部３１３、３１４、３１５、３１６を駆動するものであり、プリンタ画像処理部３５２から出力された画像データに応じたレーザ光をレーザ発光部３１３、３１４、３１５、３１６に発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって潜像を現像するための現像器であり、現像された各色のトナーは用紙に転写されフルカラーのプリントアウトがなされる。
【００１７】
用紙カセット３６０、３６１及び手差しトレイ３６２のいずれかより、レーザ光の照射開始と同期したタイミングで給紙された用紙は、レジストローラ３３３を経て転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０が排出された記録紙を束ねて記録紙の仕分けを行ったり、仕分けされた記録紙のステイプルを行った後、トレイ３７１上に載置する。
【００１８】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００１９】
＜リーダー画像処理部の説明＞
図３は、リーダー画像処理部２２２の詳細な構成を示すブロック図である。このリーダー画像処理部２２２では、プラテンガラス２１１上の原稿はＣＣＤ２１８によって読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤでそれぞれＲフィルタ・Ｇフィルタ・ＢフィルタをそれぞれのＣＣＤ毎に並べたものでも構わないし、フィルタがオンチップ化又はフィルタがＣＣＤと別構成になったものでも構わない）。そして、その電気信号（アナログ画像信号）はリーダー画像処理部２２２に入力され、クランプ＆Ａｍｐ．＆Ｓ／Ｈ＆Ａ／Ｄ部３０１でサンプルホールド（Ｓ／Ｈ）され、アナログ画像信号のダークレベルを基準電位にクランプし、所定量に増幅され（上記処理順番は表記順とは限らない）、Ａ／Ｄ変換され、例えばＲＧＢ各８ビットのデジタル信号に変換される。そして、ＲＧＢ信号はシェーディング部３０２で、シェーディング補正及び黒補正が施された後、制御装置１１０へと出力される。
【００２０】
＜制御装置の説明＞
次に、制御装置１１０の機能を、図４に示すブロック図を用いて説明する。図４に示すように、メインコントローラ１１１は、主にＣＰＵ１１２、バスコントローラ１１３、各種Ｉ／Ｆコントローラ回路から構成される。
【００２１】
ＣＰＵ１１２とバスコントローラ１１３は制御装置１１０全体の動作を制御するものであり、ＣＰＵ１１２はＲＯＭ１１４からＲＯＭＩ／Ｆ１１５を経由して読み込んだプログラムに基づいて動作する。また、ホストコンピュータから受信したＰＤＬ（ページ記述言語）コードデータを解釈し、ラスターイメージデータに展開する動作もこのプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２２】
ＤＲＡＭ１１６はＤＲＡＭＩ／Ｆ１１７によってメインコントローラ１１１と接続されており、ＣＰＵ１１２が動作するためのワークエリアや画像データを蓄積するためのエリアとして使用される。
【００２３】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に、圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御され、ＤＭＡ転送される。
【００２４】
Ｇｒａｐｈｉｃ　Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６はＧｒａｐｈｉｃ　Ｐｒｏｃｅｓｓｏｒ１３５の一時的なワーク領域として使用される。このＧｒａｐｈｉｃ　Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されてＤＭＡ転送される。
【００２５】
Ｎｅｔｗｏｒｋ　Ｃｏｎｔｏｒｌｌｅｒ１２１はＩ／Ｆ１２２によってメインコントローラ１１１と接続され、コネクタ１２２によって外部ネットワークと接続される。尚、このネットワークとしては一般的にイーサネット（登録商標）があげられる。
【００２６】
汎用高速バス１２５には、拡張ボードを接続するための拡張コネクタ１２４とＩ／Ｏ制御部１２６とが接続される。汎用高速バスとしては一般的にＰＣＩバスがあげられる。
【００２７】
Ｉ／Ｏ制御部１２６には、リーダー部２００、プリンタ部３００の各ＣＰＵと制御コマンドを送受信するための調歩同期シリアル通信コントローラ１２７とが２チャンネル装備されており、Ｉ／Ｏバス１２８によって外部Ｉ／Ｆ回路１４０，１４５に接続されている。
【００２８】
パネルＩ／Ｆ１３２は、ＬＣＤコントローラ１３１に接続され、操作部１５０上の液晶画面に表示を行うためのＩ／Ｆと、ハードキーやタッチパネルキーから入力を行うためのキー入力Ｉ／Ｆ１３０とから構成される。
【００２９】
操作部１５０は、液晶表示部とその液晶表示部上に張り付けられたタッチパネル入力装置と、複数個のハードキーを有する。タッチパネル又はハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像形成装置の操作における機能表示や画像データ等を表示する。
【００３０】
リアルタイムクロックモジュール１３３は、本装置内で管理する日付と時刻を更新／保存するためのものであり、バックアップ電池１３４によってバックアップされている。
【００３１】
Ｅ−ＩＤＥインタフェース１６１は、外部記憶装置を接続するためのものである。尚、本実施形態においては、このＩ／Ｆを介してハードディスクドライブ１６０を接続し、ハードディスク１６２へ画像データを記憶させたり、ハードディスク１６２から画像データを読み込む動作を行う。
【００３２】
コネクタ１４２，１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００３３】
スキャナＩ／Ｆ１４０は、コネクタ１４２を介してリーダー部２００と接続され、またスキャナバス１４１によってメインコントローラ１１１と接続されており、リーダー部２００から受け取った画像に対して所定の処理を施す機能を有し、更にリーダー部２００から送られたビデオ制御信号に基づき生成した制御信号をスキャナバス１４１に出力する機能も有する。
【００３４】
スキャナバス１４１からＤＲＡＭ１１６へのデータ転送は、バスコントローラ１１３によって制御される。
【００３５】
プリンタＩ／Ｆ１４５は、コネクタ１４７を介してプリンタ部３００と接続され、またプリンタバス１４６によってメインコントローラ１１１と接続されており、メインコントローラ１１１から出力された画像データに所定の処理を施して、プリンタ部３００へ出力する機能を有し、更にプリンタ部３００から送られたビデオ制御信号に基づき生成した制御信号をプリンタバス１４６に出力する機能も有する。
【００３６】
ＤＲＡＭ１１６上に展開されたラスターイメージデータのプリンタ部への転送は、バスコントローラ１１３によって制御され、プリンタバス１４６、ビデオＩ／Ｆ１４９を経由してプリンタ部３００へＤＭＡ転送される。
【００３７】
＜スキャナＩ／Ｆの説明＞
次に、スキャナＩ／Ｆ１４０の詳細な説明を行う。図５はスキャナＩ／Ｆ１４０の画像処理を担う部分の詳細な構成を示すブロック図である。
【００３８】
リーダー部２００からコネクタ１４２を介して送られる画像信号に対して、つなぎ＆ＭＴＦ補正部５０１でＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部５０２によってＣＣＤ２１８の分光特性、及びランプ２１２及びミラー２１４、２１５、２１６の分光特性を補正する。入力マスキング部５０２の出力はＡＣＳカウント部５０３及びメインコントローラ１１１へと送られる。
【００３９】
＜ＡＣＳカウント部の説明＞
ここで、ＡＣＳ（オートカラーセレクト）カウント部５０３の説明を、図６を用いて行う。
【００４０】
オートカラーセレクト（以下、ＡＣＳ）は、原稿がカラーなのか白黒なのかを判定することである。つまり、画素毎の彩度を求めてある閾値以上の画素がどれだけ存在するかでカラー判定を行うものである。しかし、白黒の原稿であっても、ＭＴＦ等の影響により、ミクロ的に見るとエッジ周辺に色画素が多数存在し、単純に画素単位でＡＣＳ判定を行うのは難しい。このＡＣＳ手法は様々な方法が提供されているが、本実施形態では、ＡＣＳの方法にはこだわらないため、ごく一般的な手法で説明を行う。
【００４１】
上述したように、白黒画像でもミクロ的に見ると色画素が多数存在するわけであるから、その画素が本当に色画素であるかどうかは、注目画素に対して周辺の色画素の情報で判定する必要がある。図６において、６０１は判定用のフィルタであり、注目画素に対して周辺画素を参照するためにＦＩＦＯの構造をとるものである。６０２はメインコントローラ１１１からセットされた６０７〜６１０のレジスタに設定された値とリーダー部２００から送られたビデオ制御信号６１２とに基づき、ＡＣＳをかける領域信号６０５を作成する回路である。６０３は色判定部で、ＡＣＳをかける領域信号６０５に基づき、注目画素に対してフィルタ６０１のメモリ内の周辺画素を参照し、注目画素が色画素か白黒画素かを決定するための色判定部である。６０４は色判定部６０３が出力した色判定信号の個数を数えるカウンタである。
【００４２】
メインコントローラ１１１は読み込み範囲に対してＡＣＳをかける領域を決定し、レジスタ６０７〜６１０に設定する（尚、本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判定する。
【００４３】
レジスタ６０７〜６１０には、主走査方向、副走査方向それぞれについて、色判定部６０３が判定を開始する位置、判定を終了する位置を、リーダー部２００から送られたビデオ制御信号６１２に基づいて設定しておくものとする。本実施形態では、実際の原稿の大きさよりもそれぞれ１０ｍｍ程度小さめに設定している。
【００４４】
＜プリンタＩ／Ｆの説明＞
次に、プリンタＩ／Ｆ１４５の詳細な説明を行う。図７はプリンタＩ／Ｆ１４５の画像処理を担う部分の詳細な構成を示すブロック図である。
【００４５】
Ｇｒａｐｈｉｃ　Ｐｒｏｃｅｓｓｏｒ１３５から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。次に、モアレ除去部７０２でモアレが除去される。モアレ除去されたＣＭＹ信号はＵＣＲ＆マスキング部７０３に入力され、ＵＣＲ処理されＣＭＹＫ信号が生成され、マスキング処理部でプリンタの出力にあった信号に補正される。ＵＣＲ＆マスキング部７０３で処理された信号はγ補正部７０４で濃度調整された後、フィルタ部７０５でスムージング又はエッジ処理される。これらの処理を経て、コネクタ１４７を介してプリンタ部３００へと画像が送られる。
【００４６】
＜Ｇｒａｐｈｉｃ　Ｐｒｏｃｅｓｓｏｒの説明＞
次に、Ｇｒａｐｈｉｃ　Ｐｒｏｃｅｓｓｏｒ１３５についての詳細な説明を行う。図８はＧｒａｐｈｉｃ
Ｐｒｏｃｅｓｓｏｒ１３５の詳細な構成を示すブロック図である。
【００４７】
Ｇｒａｐｈｉｃ　Ｐｒｏｃｅｓｓｏｒ１３５は、画像回転、画像変倍、色空間変換、二値化の処理をそれぞれ行うモジュールを有する。ＳＲＡＭ１３６は、Ｇｒａｐｈｉｃ　Ｐｒｏｃｅｓｓｏｒ１３５の各々のモジュールの一時的なワーク領域として使用される。尚、各々のモジュールが用いるＳＲＡＭ１３６のワーク領域が競合しないよう、予め各々のモジュール毎にワーク領域が静的に割り当てられているものとする。Ｇｒａｐｈｉｃ　Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００４８】
バスコントローラ１１３は、ＧｒａｐｈｉｃＰｒｏｃｅｓｓｏｒ１３５の各々のモジュールにモード等を設定する制御及び各々のモジュールに画像データを転送するためのタイミング制御を行う。
【００４９】
以下、ＧｒａｐｈｉｃＰｒｏｃｅｓｓｏｒ１３５における画像回転部８０１、画像変倍部８０２、色空間変換部８０３、画像二値化部８０５の各処理手順について詳細に説明する。
【００５０】
＜画像回転部の説明＞
まず、画像回転部８０１における処理手順を示す。Ｉ／Ｆ１３７を介してＣＰＵ１１２からバスコントローラ１１３に画像回転制御のための設定を行う。この設定によりバスコントローラ１１３は画像回転部８０１に対して画像回転に必要な設定（例えば、画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。尚、ここでは回転を行う画像サイズを３２画素×３２ラインとし、また画像バス上に画像データを転送させる際に、２４ｂｙｔｅ（ＲＧＢ各々８ｂｉｔで１画素分）を単位とする画像転送を行うものとする。
【００５１】
上述したように、３２画素×３２ラインの画像を得るには、上述の単位データ転送を３２×３２回行う必要があり、且つ、不連続なアドレスから画像データを転送する必要がある（図９参照）。
【００５２】
この不連続アドレッシングにより転送された画像データは、読み出し時に所望の角度に回転されているようにＳＲＡＭ１３６に書き込まれる。例えば、９０度反時計方向回転であれば、転送される画像データを、図１０に示すようにＹ方向に書き込んでいき、読み出し時にＸ方向に読み出すことで、画像が回転される。
【００５３】
３２画素×３２ラインの画像回転（ＤＲＡＭ１１６への書き込み）が完了した後、画像回転部８０１はＤＲＡＭ１１６から上述した読み出し方法で画像データを読み出し、バスコントローラ１１３に画像を転送する。そして、回転処理された画像データを受け取ったバスコントローラ１１３は連続アドレッシングにより、ＤＲＡＭ１１６もしくはＩ／Ｆ上の各デバイスにデータを転送する。
【００５４】
こうした一連の処理は、ＣＰＵ１１２からの処理要求が無くなるまで（必要なページ数の処理が終わったとき）繰り返される。
【００５５】
＜画像変倍部の説明＞
次に、画像変倍部８０２における処理手順を示す。Ｉ／Ｆ１３７を介してＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００５６】
画像変倍部８０２は、受け取った画像データを一時ＤＲＡＭ１１６に格納し、これを入力バッファとして用い、格納したデータに対して主走査、副走査の変倍率に応じて必要な画素数、ライン数分だけ補間処理を行って画像を拡大もしくは縮小することで、変倍処理とする。変倍後のデータは再度ＤＲＡＭ１１６へ書き戻し、これを出力バッファとして画像変倍部８０２はＤＲＡＭ１１６から画像データを読み出し、バスコントローラ１１３に転送する。
【００５７】
上述のように変倍処理された画像データを受け取ったバスコントローラ１１３は、ＤＲＡＭ１１６もしくはＩ／Ｆ上の各デバイスにデータを転送する。
【００５８】
＜色空間変換部の説明＞
次に、色空間変換部８０３における処理手順を示す。Ｉ／Ｆ１３７を介してＣＰＵ１１２からバスコントローラ１１３に色空間変換制御のための設定を行う。この設定によりバスコントローラ１１３は色空間変換部８０３及びＬＵＴ（ルックアップテーブル）８０４に対して色空間変換処理に必要な設定（後述のマトリックス演算の係数、ＬＵＴ８０４のテーブル値等）を行う。必要な設定を行った後、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００５９】
色空間変換部８０３は、受け取った画像データ１画素毎に対して、まず下記の式で表される３×３のマトリックス演算を施す。
【００６０】
【数１】
2004094731.tif 000003
【００６１】
上記式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００６２】
上記式の演算によって、例えばＲＧＢ色空間からＹｕｖ色空間への変換など、各種の色空間変換を行うことができる。
【００６３】
次に、マトリックス演算後のデータに対してＬＵＴ８０４による変換を行う。これにより、非線形の変換も行うことができる。当然、スルーのテーブルを設定することにより実質的にＬＵＴ変換を行わないようにしても良い。その後、色空間変換部８０３は色空間変換処理された画像データをバスコントローラ１１３に転送する。
【００６４】
上述のように色空間変換処理された画像データを受け取ったバスコントローラ１１３は、ＤＲＡＭ１１６もしくはＩ／Ｆ上の各デバイスにデータを転送する。
【００６５】
＜画像二値化部の説明＞
次に、画像二値化部８０５における処理手順を示す。Ｉ／Ｆ１３７を介してＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６６】
画像二値化部８０５は、受け取った画像データに対して二値化処理を施す。尚、本実施形態では、二値化の手法としては、画像データを所定の閾値と比較して単純に二値化するものとする。もちろん、ディザ法、誤差拡散法、誤差拡散法又は改良したものなど、何れの手法によってもかまわない。
【００６７】
その後、画像二値化部８０５は二値化処理された画像データをバスコントローラ１１３に転送する。二値化処理された画像データを受け取ったバスコントローラ１１３は、ＤＲＡＭ１１６もしくはＩ／Ｆ上の各デバイスにデータを転送する。
【００６８】
＜ＰＤＬ画像出力時のシーケンス＞
図１１は、本実施形態におけるＰＤＬ画像の出力処理を示すフローチャートである。尚、図中のＳ１１０１〜Ｓ１１０８は各ステップを示す。
【００６９】
ＰＤＬ画像を出力する場合、まずＳ１１０１において、ＰＣ４０１上のアプリケーションでユーザがそのＰＤＬ画像出力ジョブのプリント設定を行う。プリント設定内容は、部数、用紙サイズ、片面／両面、ページ出力順序、ソート出力、ステイプル止めの有無等である。そして、Ｓ１１０２において、ＰＣ４０１上のアプリケーションで印刷指示が与えられると、ＰＣ４０１上にインストールされているドライバソフトウェアが、印刷対象となるＰＣ４０１上のコードデータを、いわゆるＰＤＬデータに変換し、Ｓ１１０１で設定したプリント設定パラメータとともに、本画像入出力装置の制御装置１１０にネットワーク４００を介してＰＤＬデータを転送する。
【００７０】
次に、Ｓ１１０３において、制御装置１１０におけるメインコントローラ１１１のＣＰＵ１１２がコネクタ１２２及びＮｅｔｗｏｒｋＣｏｎｔｒｏｌｌｅｒ１２１を介して転送されたＰＤＬデータを上述のプリント設定パラメータに基づいて画像データに展開（ラスタライズ）する。この画像データの展開は、ＤＲＡＭ１１６上に行われる。そして、画像データの展開が完了するとＳ１１０４へ進む。このＳ１１０４では、メインコントローラ１１１がＤＲＡＭ１１６上に展開された画像データをＧｒａｐｈｉｃ　Ｐｒｏｃｅｓｓｏｒ１３５に転送する。
【００７１】
次に、Ｓ１１０５において、Ｇｒａｐｈｉｃ　Ｐｒｏｃｅｓｓｏｒ１３５はプリント設定パラメータとは独立に画像処理を行う。例えば、上述のプリント設定パラメータで指定された用紙サイズがＡ４であるにもかかわらず、プリンタ部３００の給紙ユニット３６０にはＡ４Ｒ用紙しかない場合には、Ｇｒａｐｈｉｃ　Ｐｒｏｃｅｓｓｏｒ１３５で画像を９０度回転することによって出力用紙に合わせた画像出力を行うことができる。この画像データの画像処理が完了するとＳ１１０６へ進む。このＳ１１０６では、Ｇｒａｐｈｉｃ　Ｐｒｏｃｅｓｓｏｒ１３５はメインコントローラ１１１へ画像処理後の画像データを転送する。メインコントローラ１１１は転送されてきた画像データをＤＲＡＭ１１６上に記憶する。
【００７２】
次に、Ｓ１１０７において、メインコントローラ１１１はプリンタＩ／Ｆ１４５及びコネクタ１４７を介してプリンタ部３００を制御しつつ、適切なタイミングでＤＲＡＭ１１６上の画像データをプリンタ部３００へと転送する。そして、Ｓ１１０８において、制御装置１１０がプリンタ部３００を制御して画像データをプリント出力する。この画像データの転送が完了すると、即ち当該ＰＤＬジョブが終了すると、プリント出力を終了する。
【００７３】
＜コピー画像出力時のシーケンス＞
図１２は、本実施形態におけるコピー画像出力の手順を示すフローチャートである。尚、図中のＳ１２０１〜Ｓ１２０７は各ステップを示す。
【００７４】
コピー画像を出力する場合、まずＳ１２０１において、操作部１５０上でユーザが当該コピー画像出力ジョブのコピー設定を行う。コピー設定内容は、部数、用紙サイズ、片面／両面、拡大／縮小率、ソート出力、ステイプル止めの有無等である。次に、Ｓ１２０２において、操作部１５０上でコピー開始指示を与えると、制御装置１１０のメインコントローラ１１１はスキャナＩ／Ｆ１４０及びコネクタ１４２を介してリーダー部２００を制御し、原稿の画像データの読み込み動作を行う。ここでは、原稿給送ユニット２５０が載置された原稿を１枚ずつプラテンガラス２１１上へ給送し、その際同時に原稿のサイズを検知する。検知された原稿のサイズに基づいて原稿を露光走査することにより、画像データが読み取られる。この読み取られた画像データはＤＲＡＭ１１６上に記憶される。従来のコピー機では、コピー設定の拡大／縮小率の設定に応じて、即ち副走査方向の変倍率に応じて光学ユニット２１３の移動速度を変化させることにより、副走査方向の変倍処理を実現していた。
【００７５】
しかしながら、本実施形態では、コピー設定の拡大／縮小率の設定にかかわらず、必ず等倍（１００％）で画像データを読み取り、変倍処理については主走査方向、副走査方向ともに、後述するＧｒａｐｈｉｃ　Ｐｒｏｃｅｓｓｏｒ１３５によって行うものとする。
【００７６】
次に、Ｓ１２０３において、メインコントローラ１１１がＤＲＡＭ１１６上の画像データをＧｒａｐｈｉｃ　Ｐｒｏｃｅｓｓｏｒ１３５に転送する。そして、Ｓ１２０４において、Ｇｒａｐｈｉｃ　Ｐｒｏｃｅｓｓｏｒ１３５はコピー設定パラメータに基づいて画像処理を行う。例えば、拡大４００％の設定がなされているときには、Ｇｒａｐｈｉｃ　Ｐｒｏｃｅｓｓｏｒ１３５内のモジュールである画像変倍部８０２を用いて主走査方向、副走査方向、双方への変倍処理を行う。画像データの画像処理が完了するとＳ１２０５へ進む。このＳ１２０５において、Ｇｒａｐｈｉｃ　Ｐｒｏｃｅｓｓｏｒ１３５はメインコントローラ１１１へ画像処理後の画像データを転送する。メインコントローラ１１１は転送されてきた画像データをＤＲＡＭ１１６上に記憶する。
【００７７】
次に、Ｓ１２０６において、メインコントローラ１１１はプリンタＩ／Ｆ１４５及びコネクタ１４７を介してプリンタ部３００を制御しつつ、適切なタイミングでＤＲＡＭ１１６上の画像データをプリンタ部３００へと転送する。そして、Ｓ１２０７において、制御装置１１０がプリンタ部３００を制御して画像データをプリント出力する。この画像データの転送が完了すると、即ち当該コピージョブが終了すると、プリント出力を終了する。
【００７８】
＜原稿用紙に付加する記録媒体の構成説明＞
図１３は、本実施形態で用いる原稿用紙に埋め込む記録媒体の概念図である。図１３において、１３０１は原稿であり、例えば１３０２及び１３０３の２ページからなり、２ページに渡って情報が印刷されているものとする。１３０２を「原稿１」、１３０３を「原稿２」、１３０１を「全原稿」と呼ぶことにする。尚、本実施形態では、原稿が２ページから構成されている場合を例に説明するが、１ページ以上の原稿であれば、この方式は適用できる。
【００７９】
１３０４は原稿１に印刷された情報であり、１３０５は原稿２に印刷された情報であり、これらは絵や文字から構成される。１３０６は原稿１に、１３０７は原稿２にそれぞれ付加された小型の記録媒体であり、図１３に示すように原稿１ページ当たり１個乃至数個付加されているものである。尚、記録媒体１３０６、１３０７には、電子情報を記録することができ、１ページ乃至複数ページからなる原稿の一部又は全ページの情報を十分に記録できる容量を持つものとする。例えば、原稿１に印刷されている印刷情報１３０４と共に、それ以外の情報も記録媒体１３０６に記録することを特徴としている。
【００８０】
尚、上述のそれ以外の情報とは、本実施形態の場合、印刷情報１３０４以外にこの全原稿１３０１の全ページを構成するのに必要である原稿２に印刷されている情報、即ち印刷情報１３０５を指す。また、原稿２に付加された記録媒体１３０７には原稿２に印刷されている印刷情報と共に、全原稿１３０１の全ページを構成するのに必要である原稿１に印刷されている印刷情報１３０４も一緒に記録されている。尚、記録媒体１つに全原稿の全ページ分の情報が収まりきらない場合には、原稿１ページ当たりに複数の記録媒体１３０６、１３０７を埋め込み、複数の記録媒体で全原稿全ページ分の情報を記憶することも可能である。
【００８１】
つまり、複数ページからなる全原稿の各ページに付加された、記録媒体１３０６、１３０７のどちらにも、全原稿ページを構成するための全情報が記憶される。
【００８２】
全原稿を構成するための全情報が記録された記録媒体を各原稿自身に付加することにより、複数ページ原稿の一部が破損、紛失した場合も全原稿の情報を復元し印刷することが可能となる。
【００８３】
以下に全原稿を構成するための情報としてＰＤＬデータを用いる場合について記述するが、本発明はＰＤＬデータに特化したものではなく、ＰＤＬ、ラスター形式、既存のアプリケーションファイル形式など複数考えられる。これらの情報は以下に示す手段により、記録媒体に記録される。
【００８４】
＜原稿に付加された記録媒体に情報を記録する手段の説明＞
図１４は、印刷対象である白紙の原稿用紙に付加された記録媒体に、印刷するデータを記述する仕組みの概念図である。図１４において、１４０１は複写機、１４０２は複写機に設置されたアンテナ、１４０３、１４０５は印刷対象である白紙の原稿用紙、１４０４、１４０６はそれぞれ原稿用紙１４０３、１４０５に付加された記録媒体である。図１４に示す（Ａ）と（Ｂ）のアンテナ１４０２は同一のものであり、記録媒体１４０４と無線通信を行い、電子情報を記録媒体１４０４に記録することができる。また、アンテナ１４０２の位置は特に図の通りである必要はなく、記録媒体１４０４と無線通信が行える位置にあれば良い。
【００８５】
尚、本実施形態では、アンテナ１４０２と書き込み対象となる記録媒体１４０４との間で無線通信を行い、所望の情報を記録媒体１４０４に記録する方法について説明するが、特にこの方法に限定されるものではなく、特定された記録媒体に対して情報が書き込めれば良い。
【００８６】
例えば、２ページからなるＰＤＬデータを記録媒体に書き込む場合を例にとり説明する。複写機１４０１は原稿用紙１４０３、１４０５に対し、ＰＤＬデータから解析された印刷情報を印刷するが、そのとき併せて記録媒体１４０４、１４０６に全原稿全ページのＰＤＬデータを記録するものである。
【００８７】
基本的なＰＤＬ画像出力時のシーケンスについては、前述した＜ＰＤＬ画像出力時のシーケンス＞において説明した通りだが、本実施形態では、更に図１５に示すような以下の処理を行う。
【００８８】
図１５は、図１１に示した基本的なＰＤＬ画像出力時のシーケンスに、本実施形態特有の処理を加えたものである。図１５に示す例では、本実施形態特有の処理は図１１に示したＳ１１０７とＳ１１０８の間で行うように記載されているが、特にこの間で処理を行う必要は無く、図１１中のどの部分で行ってもかまわない。
【００８９】
ここでは、図１に示すＰＣ４０１から２ページのＰＤＬデータが複写機に送られた場合について説明する。また、ＰＤＬデータが原稿用紙に印刷されるが、記録媒体１４０４に１ページ目のデータ、記録媒体１４０６に２ページ目のデータが印刷されるものとする。尚、図１１に示したＳ１１０１〜Ｓ１１０７、Ｓ１１０８のシーケンスに関しては、前述したので詳しい説明はここでは省く。
【００９０】
図１５に示すＳ１５０１において、複写機１４０１の内部に存在する原稿用紙は、原稿用紙１と原稿用紙２というように複数枚存在することもあるため、アンテナ１４０２は原稿用紙１４０３、１４０５にそれぞれ付加された記録媒体１４０４、１４０６と通信を行い、全原稿の全ページのＰＤＬデータを記録する対象となる記録媒体を特定する。尚、記録媒体特定の手段については、ここではこだわらないこととする。例えば、原稿用紙に付加された記録媒体それぞれが固有のＩＤを持ち、それにより情報記録対象となる記録媒体を特定する、或いは単純にアンテナに近いものを情報記述対象にするなど様々考えられる。
【００９１】
次に、Ｓ１５０２において、Ｓ１５０１で特定された記録媒体に対し、全原稿の全ページ分のＰＤＬデータを書き込む処理を行う。そして、上述のＳ１５０１及びＳ１５０２の各処理を原稿用紙枚数分だけ繰り返し行い、全ての原稿用紙の記録媒体に対し、全原稿全ページのＰＤＬデータを書き込む。
【００９２】
その後、図１１に示したＳ１１０８において、制御装置１１０が、プリンタ部３００を制御して画像データをプリント出力する。画像データの転送が完了すると、即ち当該ＰＤＬジョブが終了すると、プリント出力を終了する。１ページ目には、ＰＤＬデータの１ページ目のデータが印刷され、２ページ目には、ＰＤＬデータの２ページ目のデータがそれぞれ印刷され、前述した図１３のような状態となる。
【００９３】
＜原稿に付加された記録媒体から情報を読み取る手段の説明＞
図１６は、原稿に付加された記録媒体に記録されている電子情報の読取方法を説明するための概念図である。図１６において、１４０２は図１４に示す複写機に設置されたアンテナ、１６０１は原稿１、１６０４は原稿２であり、コピー元となる原稿で２ページから構成されている。１６０２は原稿１に付加された記録媒体、１６０５は原稿２に付加された記録媒体であり、１６０３は原稿１に印刷されている情報、１６０４は原稿２に印刷されている情報を表している。
【００９４】
尚、記録媒体１６０２、１６０５には、既に原稿１、原稿２に印刷されている全原稿全ページ情報が書き込まれており、＜原稿用紙に付加する記録媒体の構成説明＞の項で説明したような図１３に示した原稿であるとする。
【００９５】
１４０３、１４０５は、コピー先となる白紙の原稿用紙であり、１４０４、１４０６はそれぞれ原稿用紙に付加された記録媒体である。これらは図１４に示したものと同一のものである。
【００９６】
いま、図１に示す原稿給紙ユニット２５０上に１６０１、１６０４の２枚からなる原稿が載置され、コピー動作を行った場合を例にとり原稿に付加された記録媒体から情報を読み取る手段について説明する。
【００９７】
基本的なコピー動作時のシーケンスについては、前述した＜コピー画像出力時のシーケンス＞において示した通りだが、本実施形態でのコピー動作は図１７に示すようなシーケンスとなる。尚、図中のＳ１７０１〜Ｓ１７１１は各ステップを示す。
【００９８】
コピー画像を出力する場合、Ｓ１７０１において、操作部１５０上でユーザが当該コピー画像出力ジョブのコピー設定を行う。コピー設定内容は、部数、用紙サイズ、片面／両面、拡大／縮小率、ソート出力、ステイプル止めの有無等である。次に、Ｓ１７０２において、操作部１５０上でコピー開始指示を与えると、記録媒体１６０２、１６０５とアンテナ１４０２が通信を行い、１ページ目の情報が印刷されている原稿１上の記録媒体１６０２を特定する。本実施形態では、記録媒体１６０２、記録媒体１６０５両方ともに全原稿の全ページデータが書き込まれているため、特に１ページ目を特定し、そこから全原稿の情報を読み取る必要は無いが、ここでは１ページ目から全原稿の情報を読み取るものとする。
【００９９】
次に、Ｓ１７０３において、Ｓ１７０２で特定された記録媒体１６０２から、無線通信を利用して全原稿の全ページのＰＤＬデータを読み取る。もしコピー時に、２ページで構成される原稿１６０１、１６０４のうち原稿２が紛失していたとする。その場合、原稿２に付加された記録媒体１６０５は存在しないが、原稿１に付加された記録媒体１６０２に、記録媒体１６０５に記録されている情報と全く同一の全原稿全ページのＰＤＬ情報が書き込まれているため、そこから原稿２に印刷されている情報の復元が可能である。
【０１００】
次に、Ｓ１７０４において、Ｓ１７０１で設定したコピー設定パラメータと共に、本画像入出力装置の制御装置１１０にＳ１７０３で得られた全原稿全ページのＰＤＬデータを転送する。そして、Ｓ１７０５では、制御装置１１０のメインコントローラ１１１のＣＰＵ１１２が、コネクタ１２２及びＮｅｔｗｏｒｋＣｏｎｔｒｏｌｌｅｒ１２１を介して転送されたＰＤＬデータをコピー設定パラメータに基づいて画像データに展開（ラスタライズ）する。画像データの展開は、ＤＲＡＭ１１６上に行われる。画像データの展開が完了するとＳ１７０６へ進む。このＳ１７０６では、メインコントローラ１１１がＤＲＡＭ１１６上に展開された画像データを、Ｇｒａｐｈｉｃ　Ｐｒｏｃｅｓｓｏｒ１３５に転送する。
【０１０１】
次に、Ｓ１７０７において、Ｇｒａｐｈｉｃ　Ｐｒｏｃｅｓｓｏｒ１３５がコピー設定パラメータとは独立に画像処理を行う。例えば、コピー設定パラメータで指定された用紙サイズがＡ４であるにもかかわらず、プリンタ部３００の給紙ユニット３６０にはＡ４Ｒ用紙しかない場合、Ｇｒａｐｈｉｃ　Ｐｒｏｃｅｓｓｏｒ１３５で画像を９０度回転することにより出力用紙にあわせた画像出力を行うことができる。画像データの画像処理が完了するとＳ１７０８へ進む。このＳ１７０８では、Ｇｒａｐｈｉｃ　Ｐｒｏｃｅｓｓｏｒ１３５がメインコントローラ１１１へ画像処理後の画像データを転送し、メインコントローラ１１１が転送されてきた画像データをＤＲＡＭ１１６上に記憶する。次に、Ｓ１７０９において、メインコントローラ１１１はプリンタＩ／Ｆ１４５及びコネクタ１４７を介してプリンタ部３００を制御しつつ、適切なタイミングでＤＲＡＭ１１６上の画像データをプリンタ部３００へと転送する。
【０１０２】
次に、Ｓ１７１０において、図１５のＳ１５０１〜Ｓ１５０３の処理を行い、Ｓ１７０３の処理で読み取った記録媒体１６０２上の全情報をコピー先の原稿用紙１上の記録媒体１４０４へ書き込む処理を行う。これらの処理を行ったときに、１ページ目の原稿用紙１上の記録媒体１４０４には、全原稿全ページのＰＤＬ情報が書き込まれる。そして、Ｓ１７１１において、制御装置１１０がプリンタ部３００を制御して画像データをプリント出力する。画像データの転送が完了すると、即ち当該ジョブが終了すると、プリント出力を終了する。
【０１０３】
これら図１７に示すシーケンス処理を行った結果、コピー元の原稿１６０１の記録媒体１６０２に書き込まれた内容と、コピー先の原稿１４０３の記録媒体１４０４に書き込まれた内容は完全に一致する。また、コピー元の原稿１６０４の記録媒体１６０５に書き込まれた内容と、コピー先の原稿１４０５の記録媒体１４０６に書き込まれた内容も完全に一致する。
【０１０４】
このように、図１７に示すシーケンスにより、複数ページ原稿の一部が破損、紛失した場合でも全原稿の情報を復元し印刷することが可能となる。
【０１０５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【０１０６】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【０１０７】
この場合、記録媒体から読出されたプログラムコード自体が前述した実施形態の機能を実現することになり、そのプログラムコードを記憶した記録媒体は本発明を構成することになる。
【０１０８】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１０９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０１１０】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０１１１】
【発明の効果】
以上説明したように、本発明によれば、複数ページからなる原稿の各ページに原稿全ページの情報を記録した記録媒体を付加しておくことにより、原稿の一部が破損或いは紛失した場合も全原稿の情報を復元して画像形成することができる。
【図面の簡単な説明】
【図１】本実施形態における画像入出力システムの全体構成を示す図である。
【図２】リーダー部２００及びプリンタ部３００の側断面図である。
【図３】リーダー画像処理部２２２の詳細な構成を示すブロック図である。
【図４】制御装置１１０の機能を説明するためのブロック図である。
【図５】スキャナＩ／Ｆ１４０の画像処理を担う部分の詳細な構成を示すブロック図である。
【図６】ＡＣＳ（オートカラーセレクト）カウント部５０３を説明するための図である。
【図７】プリンタＩ／Ｆ１４５の画像処理を担う部分の詳細な構成を示すブロック図である。
【図８】Ｇｒａｐｈｉｃ　Ｐｒｏｃｅｓｓｏｒ１３５の詳細な構成を示すブロック図である。
【図９】不連続なアドレスから画像データを転送する際の動作を示す図である。
【図１０】画像回転部８０１における回転動作を示す図である。
【図１１】本実施形態におけるＰＤＬ画像の出力処理を示すフローチャートである。
【図１２】本実施形態におけるコピー画像出力の手順を示すフローチャートである。
【図１３】本実施形態で用いる原稿用紙に埋め込む記録媒体の概念図である。
【図１４】印刷対象である白紙の原稿用紙に付加された記録媒体に、印刷するデータを記述する仕組みの概念図である。
【図１５】図１１に示した基本的なＰＤＬ画像出力時のシーケンスに、本実施形態特有の処理を加えたものである。
【図１６】原稿に付加された記録媒体に記録されている電子情報の読取方法を説明するための概念図である。
【図１７】本実施形態におけるコピー動作時のシーケンスを示す図である。
【図１】
2004094731.tif 000004
【図２】
2004094731.tif 000005
【図３】
2004094731.tif 000006
【図４】
2004094731.tif 000007
【図５】
2004094731.tif 000008
【図６】
2004094731.tif 000009
【図７】
2004094731.tif 000010
【図８】
2004094731.tif 000011
【図９】
2004094731.tif 000012
【図１０】
2004094731.tif 000013
【図１１】
2004094731.tif 000014
【図１２】
2004094731.tif 000015
【図１３】
2004094731.tif 000016
【図１４】
2004094731.tif 000017
【図１５】
2004094731.tif 000018
【図１６】
2004094731.tif 000019
【図１７】
2004094731.tif 000020